【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
双方向メディア配信システムにおける記憶装置上の割り当てられたスペースに人気のメディアを録画する方法であって、
該記憶装置上のスペースを、該双方向メディア配信システムの少なくとも一部のユーザの間で最も人気のメディアの録画専用にすることと、
規定された期間中に、該双方向メディア配信システム内の該最も人気のメディアを決定し、録画のために該最も人気のメディアを選択することであって、異なるメディアが該規定された期間中に最も人気になると、該異なるメディアが選択される、ことと、
該選択された最も人気のメディアの少なくとも一部分を該専用スペースに録画することと
を含む、方法。
【請求項２】
前記最も人気のメディアを決定することは、前記双方向メディア配信システムにおける最も多くのユーザによって見られた、または使用された該メディアを識別することを含む、請求項１に記載の方法。
【請求項３】
前記最も人気のメディアを決定することは、前記双方向メディア配信システムにおける最も多くのユーザによって録画された、または録画予約された該メディアを識別することを含む、請求項１に記載の方法。
【請求項４】
前記最も人気のメディアを決定することは、ユーザの機器から遠隔にあるサーバによって行われ、
前記一部のユーザの機器から、該ユーザのメディア選択を示すデータを受信することと、
該データを処理して、該最も人気のメディアを示す識別子データを生成する、ことと、
該ユーザの機器に該識別子データを伝送することと
を含む、請求項１に記載の方法。
【請求項５】
前記ユーザの機器は、前記サーバからの前記識別子データの受信時に録画を開始する、請求項４に記載の方法。
【請求項６】
前記最も人気のメディアを決定することは、
遠隔サーバから人気情報を受信することと、
該人気情報を処理して、該最も人気のメディアを示す識別子データを生成する、ことと、
を含む、請求項１に記載の方法。
【請求項７】
録画のための選択からユーザ好みと矛盾する前記最も人気のメディアを除外することをさらに含む、請求項１に記載の方法。
【請求項８】
前記メディアは、テレビ番組、ビデオオンデマンド（ＶＯＤ）ビデオ、インターネット配信ビデオ、またはデジタル伝送音楽である、請求項１に記載の方法。
【請求項９】
前記規定された期間は、ユーザ規定される、請求項１に記載の方法。
【請求項１０】
前記記憶装置は、ユーザの機器内にある、請求項１に記載の方法。
【請求項１１】
前記記憶装置は、ユーザの機器から遠隔にあるサーバ内にあり、
前記専用スペースは、該ユーザと関連付けられる、請求項１に記載の方法。
【請求項１２】
前記選択された最も人気のメディアの少なくとも一部分を録画することは、前記専用スペースが一杯になった時に、以前に録画されたメディアに上書きすることを含む、請求項１に記載の方法。
【請求項１３】
録画のために前記メディアを選択することは、アナログチャンネルに同調すること、またはデジタル信号を復号することを含む、請求項１に記載の方法。
【請求項１４】
前記最も人気のメディアを決定することは、
前記双方向メディア配信システム内の一部のユーザの間で該最も人気のメディアを決定することと、
該一部のユーザの間で該最も人気のメディアを選択することと、
該選択された最も人気のメディアの少なくとも一部分を録画することであって、該録画することは、該一部のユーザにとって該選択された最も人気のメディアを録画することを含む、ことと
を含む、請求項１に記載の方法。
【請求項１５】
前記一部のユーザは、郵便番号、地理上の区域、同様のチャンネル構成、都市、郡、または州による、ユーザ人口統計に従って規定される、請求項１に記載の方法。
【請求項１６】
前記一部のユーザに関する人口統計情報または近隣情報を表示することをさらに含む、請求項１５に記載の方法。
【請求項１７】
前記一部のユーザにとっての前記最も人気のメディアを表示することをさらに含む、請求項１５に記載の方法。
【請求項１８】
録画されたメディアの人気レベルに関する情報を表示することをさらに含む、請求項１に記載の方法。
【請求項１９】
前記人気レベルは、前記メディアのユーザ総数、前記一部のユーザの中の総人数の割合としての該メディアのユーザ、該メディアへのアクセス総数、または該メディアにユーザが費やす総時間を含む、請求項１８に記載の方法。
【請求項２０】
双方向メディアガイダンスアプリケーションにおいて前記最も人気のメディアを録画するオプションを表示することをさらに含む、請求項１に記載の方法。
【請求項２１】
前記双方向メディアガイダンスアプリケーションは、前記記憶装置と、プロセッサと、メモリと、ユーザインターフェース制御装置とを備える、ユーザの機器上に実装される、請求項２０に記載の方法。
【請求項２２】
双方向メディア配信システムにおける記憶装置上の割り当てられたスペースに人気のメディアを録画するシステムであって、
制御回路と、記憶装置とを備え、該制御回路は、
該記憶装置上のスペースを、該双方向メディア配信システムの少なくとも一部のユーザの間で最も人気のメディアの録画専用にすることと、
規定された期間中に、該双方向メディア配信システム内の該最も人気のメディアを決定し、かつ録画のために該最も人気のメディアを選択することであって、異なるメディアが該規定された期間中に最も人気になると、該異なるメディアが選択される、ことと、
該選択された最も人気のメディアの少なくとも一部分を該専用スペースに録画するように該記憶装置に命令することと
を実行するように構成される、システム。
【請求項２３】
前記制御回路はさらに、前記双方向メディア配信システムにおける最も多くのユーザによって見られた、または使用された前記メディアを識別するように構成される、請求項２２に記載のシステム。
【請求項２４】
前記制御回路はさらに、前記双方向メディア配信システムにおける最も多くのユーザによって録画された、または録画予約された前記メディアを識別するように構成される、請求項２２に記載のシステム。
【請求項２５】
前記制御回路は、ユーザの機器から遠隔にあり、該制御回路はさらに、
前記一部のユーザの機器から、該ユーザのメディア選択を示すデータを受信することと、
該データを処理して、前記最も人気のメディアを示す識別子データを生成する、ことと、
該ユーザの機器に該識別子データを伝送することと
を実行するように構成される、請求項２２に記載のシステム。
【請求項２６】
前記ユーザの機器は、前記サーバからの前記識別子データの受信時に録画を開始する、請求項２５に記載のシステム。
【請求項２７】
前記制御回路はさらに、
遠隔サーバから人気情報を受信することと、
該人気情報を処理して、前記最も人気のメディアを示す識別子データを生成する、ことと
を実行するように構成される、請求項２２に記載のシステム。
【請求項２８】
前記制御回路はさらに、録画のための選択からユーザ好みと矛盾する前記最も人気のメディアを除外するように構成される、請求項２２に記載のシステム。
【請求項２９】
前記メディアは、テレビ番組、ビデオオンデマンド（ＶＯＤ）ビデオ、インターネット配信ビデオ、またはデジタル伝送音楽である、請求項２２に記載のシステム。
【請求項３０】
前記規定された期間は、ユーザ規定される、請求項２２に記載のシステム。
【請求項３１】
前記記憶装置は、ユーザの機器内にある、請求項２２に記載のシステム。
【請求項３２】
前記記憶装置は、ユーザの機器から遠隔にあるサーバ内にあり、
前記専用スペースは、該ユーザと関連付けられる、
請求項２２に記載のシステム。
【請求項３３】
前記制御回路はさらに、前記記憶装置に命令して、前記専用スペースが一杯になった時に、以前に録画されたメディアに上書きするように構成される、請求項２２に記載のシステム。
【請求項３４】
前記制御回路はさらに、アナログチャンネルに同調するか、またはデジタル信号を復号するように構成される、請求項２２に記載のシステム。
【請求項３５】
前記制御回路はさらに、
前記双方向メディア配信システム内の一部のユーザの間で前記最も人気のメディアを決定することと、
該一部のユーザの間で該最も人気のメディアを選択することと、
前記記憶装置に命令して、該一部のユーザにとって該選択された最も人気のメディアを録画する、ことと
を実行するように構成される、請求項２２に記載のシステム。
【請求項３６】
前記一部のユーザは、郵便番号、地理上の区域、同様のチャンネル構成、都市、郡、または州による、ユーザ人口統計に従って規定される、請求項２２に記載のシステム。
【請求項３７】
表示装置をさらに備え、前記制御回路はさらに、該表示装置に命令して、前記一部のユーザに関する人口統計情報または近隣情報を表示するように構成される、請求項３６に記載のシステム。
【請求項３８】
表示装置をさらに備え、前記制御回路はさらに、該表示装置に命令して、前記一部のユーザにとっての前記最も人気のメディアを表示するように構成される、請求項３６に記載のシステム。
【請求項３９】
表示装置をさらに備え、前記制御回路はさらに、該表示装置に命令して、録画されたメディアの人気レベルに関する情報を表示するように構成される、請求項２２に記載のシステム。
【請求項４０】
前記人気レベルは、前記メディアのユーザ総数、前記一部のユーザの中の総人数の割合としての該メディアのユーザ、該メディアへのアクセス総数、または該メディアにユーザが費やす総時間を含む、請求項３９に記載のシステム。
【請求項４１】
表示装置をさらに備え、前記制御回路はさらに、該表示装置に命令して、双方向メディアガイダンスアプリケーションにおいて前記最も人気のメディアを録画するオプションを表示するように構成される、請求項２２に記載のシステム。
【請求項４２】
前記双方向メディアガイダンスアプリケーションは、前記記憶装置と、プロセッサと、メモリと、ユーザインターフェース制御装置とを備える、ユーザの機器上に実装される、請求項４１に記載のシステム。
【請求項４３】
双方向メディア配信システムにおける記憶装置に人気のメディアを録画する方法であって、
該双方向メディア配信システムの少なくとも一部のユーザの間で最低限の人気閾値を満たすメディアを決定し、録画のためにそのようなメディアを選択することであって、異なるメディアが該閾値を満たすと、該異なるメディアが選択される、ことと、
該選択された人気のメディアの少なくとも一部分を録画することと
を含む、方法。
【請求項４４】
所与の時に２つ以上のメディアが前記閾値を満たす場合に、最も人気のメディアを録画するために選択することをさらに含む、
請求項４３に記載の方法。
【請求項４５】
前記人気閾値は、メディアが録画のために選択されるように、該メディアを見ている、または利用している前記双方向メディア配信システムにおけるユーザの割合を示す数を含む、請求項４３に記載の方法。
【請求項４６】
前記人気閾値は、メディアが録画のために選択されるように、該メディアを録画している、または録画予約されている前記双方向メディア配信システムにおけるユーザの割合を示す数を含む、請求項４３に記載の方法。
【請求項４７】
最低限の人気閾値を満たす前記メディアを決定することは、ユーザの機器から遠隔にあるサーバによって行われ、
前記一部のユーザの機器から、該ユーザのメディア選択を示すデータを受信することと、
該データを処理して、該人気のメディアを示す識別子データを生成する、ことと、
該ユーザの機器に該識別子データを伝送することと、
を含む、請求項４３に記載の方法。
【請求項４８】
前記ユーザの機器は、前記サーバからの前記識別子データの受信時に録画を開始する、請求項４７に記載の方法。
【請求項４９】
最低限の人気閾値を満たす前記メディアを決定することは、
遠隔サーバから人気情報を受信することと、
該人気情報を処理して、該人気のメディアを示す識別子データを生成する、ことと
を含む、請求項４３に記載の方法。
【請求項５０】
録画のための選択からユーザ好みと矛盾する前記人気のメディアを除外することをさらに含む、請求項４３に記載の方法。
【請求項５１】
前記メディアは、テレビ番組、ビデオオンデマンド（ＶＯＤ）ビデオ、インターネット配信ビデオ、またはデジタル伝送音楽である、請求項４３に記載の方法。
【請求項５２】
前記記憶装置は、ユーザの機器内にある、請求項４３に記載の方法。
【請求項５３】
前記記憶装置は、ユーザの機器から遠隔にあるサーバ内にある、請求項４３に記載の方法。
【請求項５４】
前記記憶装置上のスペースを、前記選択された人気のメディアの録画専用にすることをさらに含み、該選択された人気のメディアの少なくとも一部分を録画することは、該専用スペースが一杯になった時に、以前に録画されたメディアに上書きすることを含む、請求項４３に記載の方法。
【請求項５５】
録画のために前記メディアを選択することは、アナログチャンネルに同調すること、またはデジタル信号を復号することを含む、請求項４３に記載の方法。
【請求項５６】
前記人気のメディアを決定することは、
前記閾値を満たす、前記双方向メディア配信システム内の一部のユーザの間で該人気のメディアを決定することと、
該一部のユーザの間で該人気のメディアを選択することと、
該選択された人気のメディアの少なくとも一部分を録画することであって、該録画することは、該一部のユーザにとって該選択された人気のメディアを録画することを含む、ことと
を含む、請求項４３に記載の方法。
【請求項５７】
前記一部のユーザは、郵便番号、地理上の区域、同様のチャンネル構成、都市、郡、または州による、ユーザ人口統計に従って規定される、請求項４３に記載の方法。
【請求項５８】
前記一部のユーザに関する人口統計情報または近隣情報を表示することをさらに含む、請求項５７に記載の方法。
【請求項５９】
前記一部のユーザにとっての前記人気のメディアを表示することをさらに含む、請求項５７に記載の方法。
【請求項６０】
録画されたメディアの人気レベルに関する情報を表示することをさらに含む、請求項４３に記載の方法。
【請求項６１】
前記人気レベルは、前記メディアのユーザ総数、前記一部のユーザの中の総人数の割合としての該メディアのユーザ、該メディアへのアクセス総数、または該メディアにユーザが費やす総時間を含む、請求項６０に記載の方法。
【請求項６２】
双方向メディアガイダンスアプリケーションにおいて前記人気のメディアを録画するオプションを表示することをさらに含む、請求項４３に記載の方法。
【請求項６３】
前記双方向メディアガイダンスアプリケーションは、前記記憶装置と、プロセッサと、メモリと、ユーザインターフェース制御装置とを備える、ユーザの機器上に実装される、請求項６２に記載の方法。
【請求項６４】
双方向メディア配信システムにおいて人気のメディアを録画するシステムであって、
制御回路と、記憶装置とを備え、該制御回路は、
該双方向メディア配信システムの少なくとも一部のユーザの間で最低限の人気閾値を満たすメディアを決定し、録画のためにそのようなメディアを選択することであって、異なるメディアが該閾値を満たすと、該異なるメディアが選択される、ことと、
該記憶装置に命令して、該選択された人気のメディアの少なくとも一部分を録画する、ことと
を実行するように構成される、システム。
【請求項６５】
前記制御回路はさらに、所与の時に２つ以上のメディアが前記閾値を満たす場合に、最も人気のメディアを録画するために選択するように構成される、請求項６４に記載のシステム。
【請求項６６】
前記人気閾値は、メディアが録画のために選択されるように、該メディアを見ている、または利用している前記双方向メディア配信システムにおけるユーザの割合を示す数を含む、請求項６４に記載のシステム。
【請求項６７】
前記人気閾値は、メディアが録画のために選択されるように、該メディアを録画している、または録画予約されている前記双方向メディア配信システムにおけるユーザの割合を示す数を含む、請求項６４に記載のシステム。
【請求項６８】
前記制御回路は、ユーザの機器から遠隔にあるサーバにあり、該制御回路はさらに、
前記一部のユーザの機器から、該ユーザのメディア選択を示すデータを受信することと、
該データを処理して、前記最も人気のメディアを示す識別子データを生成する、ことと、
該ユーザの機器に該識別子データを伝送することと
を実行するように構成される、請求項６４に記載のシステム。
【請求項６９】
前記ユーザの機器は、前記サーバからの前記識別子データの受信時に録画を開始する、請求項６８に記載のシステム。
【請求項７０】
前記制御回路はさらに、
遠隔サーバから人気情報を受信することと、
該人気情報を処理して、前記人気のメディアを示す識別子データを生成する、ことと
を実行するように構成される、請求項６４に記載のシステム。
【請求項７１】
前記制御回路はさらに、録画のための選択からユーザ好みと矛盾する前記最も人気のメディアを除外するように構成される、請求項６４に記載のシステム。
【請求項７２】
前記メディアは、テレビ番組、ビデオオンデマンド（ＶＯＤ）ビデオ、インターネット配信ビデオ、またはデジタル伝送音楽である、請求項６４に記載のシステム。
【請求項７３】
前記記憶装置は、ユーザの機器内にある、請求項６４に記載のシステム。
【請求項７４】
前記記憶装置は、ユーザの機器から遠隔にあるサーバ内にある、請求項６４に記載のシステム。
【請求項７５】
前記制御回路はさらに、
前記記憶装置上のスペースを、前記選択された人気のメディアの録画専用にすることと、
該記憶装置に命令して、該専用スペースが一杯になった時に、以前に録画されたメディアに上書きする、ことと
を実行するように構成される、請求項６４に記載のシステム。
【請求項７６】
前記制御回路はさらに、アナログチャンネルに同調するか、またはデジタル信号を復号するように構成される、請求項６４に記載のシステム。
【請求項７７】
前記制御回路はさらに、
前記閾値を満たす、前記双方向メディア配信システム内の一部のユーザの間で前記人気のメディアを決定することと、
該一部のユーザの間で該人気のメディアを選択することと、
前記記憶装置に命令して、該一部のユーザにとって該選択された人気のメディアを録画する、ことと
を実行するように構成される、請求項６４に記載のシステム。
【請求項７８】
前記一部のユーザは、郵便番号、地理上の区域、同様のチャンネル構成、都市、郡、または州による、ユーザ人口統計に従って規定される、請求項６４に記載のシステム。
【請求項７９】
表示装置をさらに備え、前記制御回路はさらに、該表示装置に命令して、前記一部のユーザに関する人口統計情報または近隣情報を表示するように構成される、請求項７８に記載のシステム。
【請求項８０】
表示装置をさらに備え、前記制御回路はさらに、該表示装置に命令して、前記一部のユーザにとっての前記最も人気のメディアを表示するように構成される、請求項７８に記載のシステム。
【請求項８１】
表示装置をさらに備え、前記制御回路はさらに、該表示装置に命令して、録画されたメディアの人気レベルに関する情報を表示するように構成される、請求項６４に記載のシステム。
【請求項８２】
前記人気レベルは、前記メディアのユーザ総数、前記一部のユーザの中の総人数の割合としての該メディアのユーザ、該メディアへのアクセス総数、または該メディアにユーザが費やす総時間を含む、請求項８１に記載のシステム。
【請求項８３】
表示装置をさらに備え、前記制御回路はさらに、該表示装置に命令して、双方向メディアガイダンスアプリケーションにおいて前記人気のメディアを録画するオプションを表示するように構成される、請求項６４に記載のシステム。
【請求項８４】
前記双方向メディアガイダンスアプリケーションは、前記記憶装置と、プロセッサと、メモリと、ユーザインターフェース制御装置とを備える、ユーザの機器上に実装される、請求項８３に記載のシステム。
【手続補正２】
【補正対象書類名】明細書
【補正対象項目名】００１０
【補正方法】変更
【補正の内容】
【００１０】
限定としてではなく、明確にする目的で、システムおよび方法は、テレビ番組、ＶＯＤ番組、またはインターネット配信ビデオ等の、ビデオベースのメディアコンテンツ（本明細書では、単に「番組」と呼ばれることもある）を録画するという状況において、本明細書で説明されることがあってもよい。しかしながら、本発明のシステムおよび方法は、デジタル伝送音楽等の音声ベースのメディアコンテンツを含む、任意の他の好適な種類のメディアコンテンツに適用されてもよいことが理解されてもよい。
例えば、本発明は以下の項目を提供する。
（項目１）
双方向メディア配信システムにおける記憶装置上の割り当てられたスペースに人気のメディアを録画する方法であって、
該記憶装置上のスペースを、該双方向メディア配信システムの少なくとも一部のユーザの間で最も人気のメディアの録画専用にすることと、
規定された期間中に、該双方向メディア配信システム内の該最も人気のメディアを決定し、録画のために該最も人気のメディアを選択することであって、異なるメディアが該規定された期間中に最も人気になると、該異なるメディアが選択される、ことと、
該選択された最も人気のメディアの少なくとも一部分を該専用スペースに録画することと
を含む、方法。
（項目２）
上記最も人気のメディアを決定することは、上記双方向メディア配信システムにおける最も多くのユーザによって見られた、または使用された該メディアを識別することを含む、項目１に記載の方法。
（項目３）
上記最も人気のメディアを決定することは、上記双方向メディア配信システムにおける最も多くのユーザによって録画された、または録画予約された該メディアを識別することを含む、項目１に記載の方法。
（項目４）
上記最も人気のメディアを決定することは、ユーザの機器から遠隔にあるサーバによって行われ、
上記一部のユーザの機器から、該ユーザのメディア選択を示すデータを受信することと、
該データを処理して、該最も人気のメディアを示す識別子データを生成する、ことと、
該ユーザの機器に該識別子データを伝送することと
を含む、項目１に記載の方法。
（項目５）
上記ユーザの機器は、上記サーバからの上記識別子データの受信時に録画を開始する、項目４に記載の方法。
（項目６）
上記最も人気のメディアを決定することは、
遠隔サーバから人気情報を受信することと、
該人気情報を処理して、該最も人気のメディアを示す識別子データを生成する、ことと、
を含む、項目１に記載の方法。
（項目７）
録画のための選択からユーザ好みと矛盾する上記最も人気のメディアを除外することをさらに含む、項目１に記載の方法。
（項目８）
上記メディアは、テレビ番組、ビデオオンデマンド（ＶＯＤ）ビデオ、インターネット配信ビデオ、またはデジタル伝送音楽である、項目１に記載の方法。
（項目９）
上記規定された期間は、ユーザ規定される、項目１に記載の方法。
（項目１０）
上記記憶装置は、ユーザの機器内にある、項目１に記載の方法。
（項目１１）
上記記憶装置は、ユーザの機器から遠隔にあるサーバ内にあり、
上記専用スペースは、該ユーザと関連付けられる、項目１に記載の方法。
（項目１２）
上記選択された最も人気のメディアの少なくとも一部分を録画することは、上記専用スペースが一杯になった時に、以前に録画されたメディアに上書きすることを含む、項目１に記載の方法。
（項目１３）
録画のために上記メディアを選択することは、アナログチャンネルに同調すること、またはデジタル信号を復号することを含む、項目１に記載の方法。
（項目１４）
上記最も人気のメディアを決定することは、
上記双方向メディア配信システム内の一部のユーザの間で該最も人気のメディアを決定することと、
該一部のユーザの間で該最も人気のメディアを選択することと、
該選択された最も人気のメディアの少なくとも一部分を録画することであって、該録画することは、該一部のユーザにとって該選択された最も人気のメディアを録画することを含む、ことと
を含む、項目１に記載の方法。
（項目１５）
上記一部のユーザは、郵便番号、地理上の区域、同様のチャンネル構成、都市、郡、または州による、ユーザ人口統計に従って規定される、項目１に記載の方法。
（項目１６）
上記一部のユーザに関する人口統計情報または近隣情報を表示することをさらに含む、項目１５に記載の方法。
（項目１７）
上記一部のユーザにとっての上記最も人気のメディアを表示することをさらに含む、項目１５に記載の方法。
（項目１８）
録画されたメディアの人気レベルに関する情報を表示することをさらに含む、項目１に記載の方法。
（項目１９）
上記人気レベルは、上記メディアのユーザ総数、上記一部のユーザの中の総人数の割合としての該メディアのユーザ、該メディアへのアクセス総数、または該メディアにユーザが費やす総時間を含む、項目１８に記載の方法。
（項目２０）
双方向メディアガイダンスアプリケーションにおいて上記最も人気のメディアを録画するオプションを表示することをさらに含む、項目１に記載の方法。
（項目２１）
上記双方向メディアガイダンスアプリケーションは、上記記憶装置と、プロセッサと、メモリと、ユーザインターフェース制御装置とを備える、ユーザの機器上に実装される、項目２０に記載の方法。
（項目２２）
双方向メディア配信システムにおける記憶装置上の割り当てられたスペースに人気のメディアを録画するシステムであって、
制御回路と、記憶装置とを備え、該制御回路は、
該記憶装置上のスペースを、該双方向メディア配信システムの少なくとも一部のユーザの間で最も人気のメディアの録画専用にすることと、
規定された期間中に、該双方向メディア配信システム内の該最も人気のメディアを決定し、かつ録画のために該最も人気のメディアを選択することであって、異なるメディアが該規定された期間中に最も人気になると、該異なるメディアが選択される、ことと、
該選択された最も人気のメディアの少なくとも一部分を該専用スペースに録画するように該記憶装置に命令することと
を実行するように構成される、システム。
（項目２３）
上記制御回路はさらに、上記双方向メディア配信システムにおける最も多くのユーザによって見られた、または使用された上記メディアを識別するように構成される、項目２２に記載のシステム。
（項目２４）
上記制御回路はさらに、上記双方向メディア配信システムにおける最も多くのユーザによって録画された、または録画予約された上記メディアを識別するように構成される、項目２２に記載のシステム。
（項目２５）
上記制御回路は、ユーザの機器から遠隔にあり、該制御回路はさらに、
上記一部のユーザの機器から、該ユーザのメディア選択を示すデータを受信することと、
該データを処理して、上記最も人気のメディアを示す識別子データを生成する、ことと、
該ユーザの機器に該識別子データを伝送することと
を実行するように構成される、項目２２に記載のシステム。
（項目２６）
上記ユーザの機器は、上記サーバからの上記識別子データの受信時に録画を開始する、項目２５に記載のシステム。
（項目２７）
上記制御回路はさらに、
遠隔サーバから人気情報を受信することと、
該人気情報を処理して、上記最も人気のメディアを示す識別子データを生成する、ことと
を実行するように構成される、項目２２に記載のシステム。
（項目２８）
上記制御回路はさらに、録画のための選択からユーザ好みと矛盾する上記最も人気のメディアを除外するように構成される、項目２２に記載のシステム。
（項目２９）
上記メディアは、テレビ番組、ビデオオンデマンド（ＶＯＤ）ビデオ、インターネット配信ビデオ、またはデジタル伝送音楽である、項目２２に記載のシステム。
（項目３０）
上記規定された期間は、ユーザ規定される、項目２２に記載のシステム。
（項目３１）
上記記憶装置は、ユーザの機器内にある、項目２２に記載のシステム。
（項目３２）
上記記憶装置は、ユーザの機器から遠隔にあるサーバ内にあり、
上記専用スペースは、該ユーザと関連付けられる、
項目２２に記載のシステム。
（項目３３）
上記制御回路はさらに、上記記憶装置に命令して、上記専用スペースが一杯になった時に、以前に録画されたメディアに上書きするように構成される、項目２２に記載のシステム。
（項目３４）
上記制御回路はさらに、アナログチャンネルに同調するか、またはデジタル信号を復号するように構成される、項目２２に記載のシステム。
（項目３５）
上記制御回路はさらに、
上記双方向メディア配信システム内の一部のユーザの間で上記最も人気のメディアを決定することと、
該一部のユーザの間で該最も人気のメディアを選択することと、
上記記憶装置に命令して、該一部のユーザにとって該選択された最も人気のメディアを録画する、ことと
を実行するように構成される、項目２２に記載のシステム。
（項目３６）
上記一部のユーザは、郵便番号、地理上の区域、同様のチャンネル構成、都市、郡、または州による、ユーザ人口統計に従って規定される、項目２２に記載のシステム。
（項目３７）
表示装置をさらに備え、上記制御回路はさらに、該表示装置に命令して、上記一部のユーザに関する人口統計情報または近隣情報を表示するように構成される、項目３６に記載のシステム。
（項目３８）
表示装置をさらに備え、上記制御回路はさらに、該表示装置に命令して、上記一部のユーザにとっての上記最も人気のメディアを表示するように構成される、項目３６に記載のシステム。
（項目３９）
表示装置をさらに備え、上記制御回路はさらに、該表示装置に命令して、録画されたメディアの人気レベルに関する情報を表示するように構成される、項目２２に記載のシステム。
（項目４０）
上記人気レベルは、上記メディアのユーザ総数、上記一部のユーザの中の総人数の割合としての該メディアのユーザ、該メディアへのアクセス総数、または該メディアにユーザが費やす総時間を含む、項目３９に記載のシステム。
（項目４１）
表示装置をさらに備え、上記制御回路はさらに、該表示装置に命令して、双方向メディアガイダンスアプリケーションにおいて上記最も人気のメディアを録画するオプションを表示するように構成される、項目２２に記載のシステム。
（項目４２）
上記双方向メディアガイダンスアプリケーションは、上記記憶装置と、プロセッサと、メモリと、ユーザインターフェース制御装置とを備える、ユーザの機器上に実装される、項目４１に記載のシステム。
（項目４３）
双方向メディア配信システムにおける記憶装置上の割り当てられたスペースに人気のメディアを録画するシステムであって、
該記憶装置上のスペースを、該双方向メディア配信システムの少なくとも一部のユーザの間で最も人気のメディアの録画専用にする手段と、
規定された期間中に、該双方向メディア配信システム内の該最も人気のメディアを決定し、録画のために該最も人気のメディアを選択する手段であって、異なるメディアが該規定された期間中に最も人気になると、該異なるメディアが選択される、手段と、
該選択された最も人気のメディアの少なくとも一部分を該専用スペースに録画する手段と
を含む、システム。
（項目４４）
上記最も人気のメディアを決定する上記手段は、上記双方向メディア配信システムにおける最も多くのユーザによって見られた、または使用された該メディアを識別する手段を含む、項目４３に記載のシステム。
（項目４５）
上記最も人気のメディアを決定する上記手段は、上記双方向メディア配信システムにおける最も多くのユーザによって録画された、または録画予約された該メディアを識別する手段を含む、項目４３に記載のシステム。
（項目４６）
上記最も人気のメディアを決定する上記手段は、ユーザの機器から遠隔にあり、
上記一部のユーザの機器から、該ユーザのメディア選択を示すデータを受信する手段と、
該データを処理して、該最も人気のメディアを示す識別子データを生成する、手段と、
該ユーザの機器に該識別子データを伝送する手段と
を含む、項目４３に記載のシステム。
（項目４７）
上記ユーザの機器は、上記サーバからの上記識別子データの受信時に録画を開始する、項目４６に記載のシステム。
（項目４８）
上記最も人気のメディアを決定する上記手段は、
遠隔サーバから人気情報を受信する手段と、
該人気情報を処理して、該最も人気のメディアを示す識別子データを生成する、手段と
を含む、項目４３に記載のシステム。
（項目４９）
録画のための選択からユーザ好みと矛盾する上記最も人気のメディアを除外する手段をさらに含む、項目４３に記載のシステム。
（項目５０）
上記メディアは、テレビ番組、ビデオオンデマンド（ＶＯＤ）ビデオ、インターネット配信ビデオ、またはデジタル伝送音楽である、項目４３に記載のシステム。
（項目５１）
上記規定された期間は、ユーザ規定される、項目４３に記載のシステム。
（項目５２）
上記記憶装置は、ユーザの機器内にある、項目４３に記載のシステム。
（項目５３）
上記記憶装置は、ユーザの機器から遠隔にあるサーバ内にあり、
上記専用スペースは、該ユーザと関連付けられる、
項目４３に記載のシステム。
（項目５４）
上記選択された最も人気のメディアの少なくとも一部分を録画する上記手段は、上記専用スペースが一杯になった時に、以前に録画されたメディアに上書きする手段を含む、項目４３に記載のシステム。
（項目５５）
録画のために上記メディアを選択する上記手段は、アナログチャンネルに同調するか、またはデジタル信号を復号する手段を含む、項目４３に記載のシステム。
（項目５６）
上記最も人気のメディアを決定する上記手段は、
上記双方向メディア配信システム内の一部のユーザの間で該最も人気のメディアを決定する手段と、
該一部のユーザの間で該最も人気のメディアを選択する手段と、
該選択された最も人気のメディアの少なくとも一部分を録画する上記手段であって、該録画する手段は、該一部のユーザにとって該選択された最も人気のメディアを録画する手段を含む、手段と
を含む、項目４３に記載のシステム。
（項目５７）
上記一部のユーザは、郵便番号、地理上の区域、同様のチャンネル構成、都市、郡、または州による、ユーザ人口統計に従って規定される、項目４３に記載のシステム。
（項目５８）
上記一部のユーザに関する人口統計情報または近隣情報を表示する手段をさらに含む、項目５７に記載のシステム。
（項目５９）
上記一部のユーザにとっての上記最も人気のメディアを表示する手段をさらに含む、項目５７に記載のシステム。
（項目６０）
録画されたメディアの人気レベルに関する情報を表示する手段をさらに含む、項目４３に記載のシステム。
（項目６１）
上記人気レベルは、上記メディアのユーザ総数、上記一部のユーザの中の総人数の割合としての該メディアのユーザ、該メディアへのアクセス総数、または該メディアにユーザが費やす総時間を含む、項目６０に記載のシステム。
（項目６２）
双方向メディアガイダンスアプリケーションにおいて上記最も人気のメディアを録画するオプションを表示する手段をさらに含む、項目４３に記載のシステム。
（項目６３）
上記双方向メディアガイダンスアプリケーションは、上記記憶装置と、プロセッサと、メモリと、ユーザインターフェース制御装置とを備える、ユーザの機器上に実装される、項目６２に記載のシステム。
（項目６４）
双方向メディア配信システムにおける記憶装置に人気のメディアを録画する方法であって、
該双方向メディア配信システムの少なくとも一部のユーザの間で最低限の人気閾値を満たすメディアを決定し、録画のためにそのようなメディアを選択することであって、異なるメディアが該閾値を満たすと、該異なるメディアが選択される、ことと、
該選択された人気のメディアの少なくとも一部分を録画することと
を含む、方法。
（項目６５）
所与の時に２つ以上のメディアが上記閾値を満たす場合に、最も人気のメディアを録画するために選択することをさらに含む、
項目６４に記載の方法。
（項目６６）
上記人気閾値は、メディアが録画のために選択されるように、該メディアを見ている、または利用している上記双方向メディア配信システムにおけるユーザの割合を示す数を含む、項目６４に記載の方法。
（項目６７）
上記人気閾値は、メディアが録画のために選択されるように、該メディアを録画している、または録画予約されている上記双方向メディア配信システムにおけるユーザの割合を示す数を含む、項目６４に記載の方法。
（項目６８）
最低限の人気閾値を満たす上記メディアを決定することは、ユーザの機器から遠隔にあるサーバによって行われ、
上記一部のユーザの機器から、該ユーザのメディア選択を示すデータを受信することと、
該データを処理して、該人気のメディアを示す識別子データを生成する、ことと、
該ユーザの機器に該識別子データを伝送することと、
を含む、項目６４に記載の方法。
（項目６９）
上記ユーザの機器は、上記サーバからの上記識別子データの受信時に録画を開始する、項目６８に記載の方法。
（項目７０）
最低限の人気閾値を満たす上記メディアを決定することは、
遠隔サーバから人気情報を受信することと、
該人気情報を処理して、該人気のメディアを示す識別子データを生成する、ことと
を含む、項目６４に記載の方法。
（項目７１）
録画のための選択からユーザ好みと矛盾する上記人気のメディアを除外することをさらに含む、項目６４に記載の方法。
（項目７２）
上記メディアは、テレビ番組、ビデオオンデマンド（ＶＯＤ）ビデオ、インターネット配信ビデオ、またはデジタル伝送音楽である、項目６４に記載の方法。
（項目７３）
上記記憶装置は、ユーザの機器内にある、項目６４に記載の方法。
（項目７４）
上記記憶装置は、ユーザの機器から遠隔にあるサーバ内にある、項目６４に記載の方法。
（項目７５）
上記記憶装置上のスペースを、上記選択された人気のメディアの録画専用にすることをさらに含み、該選択された人気のメディアの少なくとも一部分を録画することは、該専用スペースが一杯になった時に、以前に録画されたメディアに上書きすることを含む、項目６４に記載の方法。
（項目７６）
録画のために上記メディアを選択することは、アナログチャンネルに同調すること、またはデジタル信号を復号することを含む、項目６４に記載の方法。
（項目７７）
上記人気のメディアを決定することは、
上記閾値を満たす、上記双方向メディア配信システム内の一部のユーザの間で該人気のメディアを決定することと、
該一部のユーザの間で該人気のメディアを選択することと、
該選択された人気のメディアの少なくとも一部分を録画することであって、該録画することは、該一部のユーザにとって該選択された人気のメディアを録画することを含む、ことと
を含む、項目６４に記載の方法。
（項目７８）
上記一部のユーザは、郵便番号、地理上の区域、同様のチャンネル構成、都市、郡、または州による、ユーザ人口統計に従って規定される、項目６４に記載の方法。
（項目７９）
上記一部のユーザに関する人口統計情報または近隣情報を表示することをさらに含む、項目７８に記載の方法。
（項目８０）
上記一部のユーザにとっての上記人気のメディアを表示することをさらに含む、項目７８に記載の方法。
（項目８１）
録画されたメディアの人気レベルに関する情報を表示することをさらに含む、項目６４に記載の方法。
（項目８２）
上記人気レベルは、上記メディアのユーザ総数、上記一部のユーザの中の総人数の割合としての該メディアのユーザ、該メディアへのアクセス総数、または該メディアにユーザが費やす総時間を含む、項目８１に記載の方法。
（項目８３）
双方向メディアガイダンスアプリケーションにおいて上記人気のメディアを録画するオプションを表示することをさらに含む、項目６４に記載の方法。
（項目８４）
上記双方向メディアガイダンスアプリケーションは、上記記憶装置と、プロセッサと、メモリと、ユーザインターフェース制御装置とを備える、ユーザの機器上に実装される、項目８３に記載の方法。
（項目８５）
双方向メディア配信システムにおいて人気のメディアを録画するシステムであって、
制御回路と、記憶装置とを備え、該制御回路は、
該双方向メディア配信システムの少なくとも一部のユーザの間で最低限の人気閾値を満たすメディアを決定し、録画のためにそのようなメディアを選択することであって、異なるメディアが該閾値を満たすと、該異なるメディアが選択される、ことと、
該記憶装置に命令して、該選択された人気のメディアの少なくとも一部分を録画する、ことと
を実行するように構成される、システム。
（項目８６）
上記制御回路はさらに、所与の時に２つ以上のメディアが上記閾値を満たす場合に、最も人気のメディアを録画するために選択するように構成される、項目８５に記載のシステム。
（項目８７）
上記人気閾値は、メディアが録画のために選択されるように、該メディアを見ている、または利用している上記双方向メディア配信システムにおけるユーザの割合を示す数を含む、項目８５に記載のシステム。
（項目８８）
上記人気閾値は、メディアが録画のために選択されるように、該メディアを録画している、または録画予約されている上記双方向メディア配信システムにおけるユーザの割合を示す数を含む、項目８５に記載のシステム。
（項目８９）
上記制御回路は、ユーザの機器から遠隔にあるサーバにあり、該制御回路はさらに、
上記一部のユーザの機器から、該ユーザのメディア選択を示すデータを受信することと、
該データを処理して、上記最も人気のメディアを示す識別子データを生成する、ことと、
該ユーザの機器に該識別子データを伝送することと
を実行するように構成される、項目８５に記載のシステム。
（項目９０）
上記ユーザの機器は、上記サーバからの上記識別子データの受信時に録画を開始する、項目８９に記載のシステム。
（項目９１）
上記制御回路はさらに、
遠隔サーバから人気情報を受信することと、
該人気情報を処理して、上記人気のメディアを示す識別子データを生成する、ことと
を実行するように構成される、項目８５に記載のシステム。
（項目９２）
上記制御回路はさらに、録画のための選択からユーザ好みと矛盾する上記最も人気のメディアを除外するように構成される、項目８５に記載のシステム。
（項目９３）
上記メディアは、テレビ番組、ビデオオンデマンド（ＶＯＤ）ビデオ、インターネット配信ビデオ、またはデジタル伝送音楽である、項目８５に記載のシステム。
（項目９４）
上記記憶装置は、ユーザの機器内にある、項目８５に記載のシステム。
（項目９５）
上記記憶装置は、ユーザの機器から遠隔にあるサーバ内にある、項目８５に記載のシステム。
（項目９６）
上記制御回路はさらに、
上記記憶装置上のスペースを、上記選択された人気のメディアの録画専用にすることと、
該記憶装置に命令して、該専用スペースが一杯になった時に、以前に録画されたメディアに上書きする、ことと
を実行するように構成される、項目８５に記載のシステム。
（項目９７）
上記制御回路はさらに、アナログチャンネルに同調するか、またはデジタル信号を復号するように構成される、項目８５に記載のシステム。
（項目９８）
上記制御回路はさらに、
上記閾値を満たす、上記双方向メディア配信システム内の一部のユーザの間で上記人気のメディアを決定することと、
該一部のユーザの間で該人気のメディアを選択することと、
上記記憶装置に命令して、該一部のユーザにとって該選択された人気のメディアを録画する、ことと
を実行するように構成される、項目８５に記載のシステム。
（項目９９）
上記一部のユーザは、郵便番号、地理上の区域、同様のチャンネル構成、都市、郡、または州による、ユーザ人口統計に従って規定される、項目８５に記載のシステム。
（項目１００）
表示装置をさらに備え、上記制御回路はさらに、該表示装置に命令して、上記一部のユーザに関する人口統計情報または近隣情報を表示するように構成される、項目９９に記載のシステム。
（項目１０１）
表示装置をさらに備え、上記制御回路はさらに、該表示装置に命令して、上記一部のユーザにとっての上記最も人気のメディアを表示するように構成される、項目９９に記載のシステム。
（項目１０２）
表示装置をさらに備え、上記制御回路はさらに、該表示装置に命令して、録画されたメディアの人気レベルに関する情報を表示するように構成される、項目８５に記載のシステム。
（項目１０３）
上記人気レベルは、上記メディアのユーザ総数、上記一部のユーザの中の総人数の割合としての該メディアのユーザ、該メディアへのアクセス総数、または該メディアにユーザが費やす総時間を含む、項目１０２に記載のシステム。
（項目１０４）
表示装置をさらに備え、上記制御回路はさらに、該表示装置に命令して、双方向メディアガイダンスアプリケーションにおいて上記人気のメディアを録画するオプションを表示するように構成される、項目８５に記載のシステム。
（項目１０５）
上記双方向メディアガイダンスアプリケーションは、上記記憶装置と、プロセッサと、メモリと、ユーザインターフェース制御装置とを備える、ユーザの機器上に実装される、項目１０４に記載のシステム。
（項目１０６）
双方向メディア配信システムにおける記憶装置に人気のメディアを録画するシステムであって、
該双方向メディア配信システムの少なくとも一部のユーザの間で最低限の人気閾値を満たすメディアを決定し、録画のためにそのようなメディアを選択する手段であって、異なるメディアが該閾値を満たすと、該異なるメディアが選択される、手段と、
該選択された人気のメディアの少なくとも一部分を録画する手段と
を含む、システム。
（項目１０７）
所与の時に２つ以上のメディアが上記閾値を満たす場合に、最も人気のメディアを録画するために選択する手段を含む、項目１０６に記載のシステム。
（項目１０８）
上記人気閾値は、メディアが録画のために選択されるように、該メディアを見ている、または利用している上記双方向メディア配信システムにおけるユーザの割合を示す数を含む、項目１０６に記載のシステム。
（項目１０９）
上記人気閾値は、メディアが録画のために選択されるように、該メディアを録画している、または録画予約されている上記双方向メディア配信システムにおけるユーザの割合を示す数を含む、項目１０６に記載のシステム。
（項目１１０）
最低限の人気閾値を満たす上記メディアを決定する上記手段は、ユーザの機器から遠隔にあり、
上記一部のユーザの機器から、該ユーザのメディア選択を示すデータを受信する手段と、
該データを処理して、該人気のメディアを示す識別子データを生成する、手段と、
該ユーザの機器に該識別子データを伝送する手段と
を含む、項目１０６に記載のシステム。
（項目１１１）
上記ユーザの機器は、上記サーバからの上記識別子データの受信時に録画を開始する、項目１１０に記載のシステム。
（項目１１２）
最低限の人気閾値を満たす上記メディアを決定する上記手段は、
遠隔サーバから人気情報を受信する手段と、
該人気情報を処理して、該人気のメディアを示す識別子データを生成する、手段と
を含む、項目１０６に記載のシステム。
（項目１１３）
録画のための選択からユーザ好みと矛盾する上記最も人気のメディアを除外する手段をさらに含む、項目１０６に記載のシステム。
（項目１１４）
上記メディアは、テレビ番組、ビデオオンデマンド（ＶＯＤ）ビデオ、インターネット配信ビデオ、またはデジタル伝送音楽である、項目１０６に記載のシステム。
（項目１１５）
上記記憶装置は、ユーザの機器内にある、項目１０６に記載のシステム。
（項目１１６）
上記記憶装置は、ユーザの機器から遠隔にあるサーバ内にある、項目１０６に記載のシステム。
（項目１１７）
上記記憶装置上のスペースを、上記選択された人気のメディアの録画専用にする手段をさらに含み、該選択された人気のメディアの少なくとも一部分を録画する該手段は、該専用スペースが一杯になった時に、以前に録画されたメディアに上書きする手段を含む、項目１０６に記載のシステム。
（項目１１８）
録画のために上記メディアを選択する上記手段は、アナログチャンネルに同調するか、またはデジタル信号を復号する手段を含む、項目１０６に記載のシステム。
（項目１１９）
上記人気のメディアを決定する上記手段は、
上記閾値を満たす、上記双方向メディア配信システム内の一部のユーザの間で該人気のメディアを決定する手段と、
該一部のユーザの間で該人気のメディアを選択する手段と、
該選択された人気のメディアの少なくとも一部分を録画する上記手段であって、該録画する手段は、該一部のユーザにとって該選択された人気のメディアを録画する手段を含む、手段と
を含む、項目１０６に記載のシステム。
（項目１２０）
上記一部のユーザは、郵便番号、地理上の区域、同様のチャンネル構成、都市、郡、または州による、ユーザ人口統計に従って規定される、項目１０６に記載のシステム。
（項目１２１）
上記一部のユーザに関する人口統計情報または近隣情報を表示する手段をさらに含む、項目１２０に記載のシステム。
（項目１２２）
上記一部のユーザにとっての上記人気のメディアを表示する手段をさらに含む、項目１２０に記載のシステム。
（項目１２３）
録画されたメディアの人気レベルに関する情報を表示する手段をさらに含む、項目１０６に記載のシステム。
（項目１２４）
上記人気レベルは、上記メディアの上記ユーザ総数、上記一部のユーザの中の総人数の割合としての該メディアのユーザ、該メディアへのアクセス総数、または該メディアにユーザが費やす総時間を含む、項目１２３に記載のシステム。
（項目１２５）
双方向メディアガイダンスアプリケーションにおいて上記人気のメディアを録画するオプションを表示することをさらに含む、項目１０６に記載のシステム。
（項目１２６）
上記双方向メディアガイダンスアプリケーションは、上記記憶装置と、プロセッサと、メモリと、ユーザインターフェース制御装置とを備える、ユーザの機器上に実装される、項目１２５に記載のシステム。